(57)【要約】【課題】  曲げ剛性の低下を顕著に改善した樹脂製中空二重壁構造体のリブ構造を提供する。【解決手段】  熱可塑性樹脂からなる互いに対向した一方の壁１と他方の壁２とを有する中空の二重壁構造体のリブ構造である。一方の壁１に形成された中実板状のリブ３と他方の壁２に形成された凹溝状のリブ４を互いに対向するように配置し、互いの端部において一体に溶着する。凹溝状のリブ４は中実板状のリブ３を構成する壁面に対して２０〜４０°の範囲で傾斜した壁面からなる。一方の壁１と他方の壁２との距離は３５ｍｍ以上であるとともに、中実板状のリブ３の高さは３０ｍｍ以下である。【選択図】      図１
2008137247.tif 000002
【特許請求の範囲】
【請求項１】
熱可塑性樹脂からなる互いに対向した一方の壁と他方の壁とを有する中空の二重壁構造体のリブ構造であって、
一方の壁に形成された中実板状のリブと他方の壁に形成された凹溝状のリブが互いに対向するように配置され、かつ互いの端部において一体に溶着されており、
前記凹溝状のリブは前記中実板状のリブを構成する壁面に対して２０〜４０°の範囲で傾斜した壁面からなる
ことを特徴とする樹脂製中空二重壁構造体のリブ構造。
【請求項２】
前記一方の壁と前記他方の壁との距離（ａ）が３５ｍｍ以上であるとともに、
前記中実板状のリブの高さ（ｂ）が３０ｍｍ以下である
ことを特徴とする請求項１記載の樹脂製中空二重壁構造体のリブ構造。
【請求項３】
前記樹脂製中空二重壁構造体には請求項１記載のリブ構造が複数設けられており、
前記複数のリブ構造は互いに略垂直となるように配置されている
ことを特徴とする請求項１または２記載の樹脂製中空二重壁構造体のリブ構造。
【発明の詳細な説明】
【技術分野】
【０００１】
本発明は、熱可塑性樹脂材料からブロー成形等により形成された中空二重壁構造体のリブ構造に関するものである。
【背景技術】
【０００２】
熱可塑性樹脂材料をブロー成形することにより中空二重壁構造体を形成する際にその補強構造として各種のリブを形成することが知られている。特に、中空二重壁構造体の一方の壁と他方の壁との間に中実板状のリブ（所謂インナーリブ）を形成する場合には中空二重壁構造体の形状または成形条件等により、インナーリブに極端な薄肉部が発生して剛性が低下したり、成形品の外面にひけやそりが発生して外観が悪くなる等の問題点があった。
【０００３】
このため、上記問題点を解決するためのリブ構造として例えば特許３２３６６５６号公報には、一方の壁と他方の壁との間に凹溝状のリブとその頂面にインナーリブを配置したものが開示されている。
【特許文献１】特許３２３６６５６号公報
【発明の開示】
【発明が解決しようとする課題】
【０００４】
ところが、凹溝状のリブとインナーリブを併用した場合にはインナーリブの薄肉化による剛性の低下は改善されるが、中空二重壁構造体の曲げ剛性が低下することが判明した。つまり、従来の凹溝状のリブは一般に成形性を考慮して分割金型から製品を離型しやすくするため、凹溝状のリブを構成する壁面を分割金型の型開き方向に対して抜き勾配として５〜１５°の傾斜角を設けて形成されている。一方、凹溝状のリブを構成する壁面の傾斜角を通常の抜き勾配より大きくし、一定の範囲とすることにより中空二重壁構造体の曲げ剛性の低下が顕著に改善されることを見出し本発明を完成するに至った。
【０００５】
そこで本発明は、一方の壁に形成された中実板状のリブと他方の壁に形成された凹溝状のリブが互いに対向するように配置し、かつ互いの端部において一体に溶着されたリブ構造において、前記凹溝状のリブを構成する壁面の傾斜角を前記中実板状のリブを構成する面に対して２０〜４０°の範囲とすることで、曲げ剛性の低下を顕著に改善することができる樹脂製中空二重壁構造体のリブ構造を提供することを目的とするものである。
【課題を解決するための手段】
【０００６】
本発明の請求項１に係る樹脂製中空二重壁構造体のリブ構造は、熱可塑性樹脂からなる互いに対向した一方の壁と他方の壁とを有する中空の二重壁構造体のリブ構造であって、一方の壁に形成された中実板状のリブと他方の壁に形成された凹溝状のリブが互いに対向するように配置され、かつ互いの端部において一体に溶着されており、前記凹溝状のリブは前記中実板状のリブを構成する壁面に対して２０〜４０°の範囲で傾斜した壁面からなることを特徴とするものである。
【０００７】
本発明の請求項２に係る樹脂製中空二重壁構造体のリブ構造は、請求項１記載の構成において、前記一方の壁と前記他方の壁との距離（ａ）が３５ｍｍ以上であるとともに、前記中実板状のリブの高さ（ｂ）が３０ｍｍ以下であることを特徴とするものである。
【０００８】
本発明の請求項３に係る樹脂製中空二重壁構造体のリブ構造は、請求項１または２記載の構成において、前記樹脂製中空二重壁構造体には請求項１記載のリブ構造が複数設けられており、前記複数のリブ構造は互いに略垂直となるように配置されていることを特徴とするものである。
【発明の効果】
【０００９】
本発明によれば、一方の壁に形成された中実板状のリブと他方の壁に形成された凹溝状のリブが互いに対向するように配置し、かつ互いの端部において一体に溶着されたリブ構造において、前記凹溝状のリブを構成する壁面の傾斜角を前記中実板状のリブを構成する面に対して２０〜４０°の範囲としたことにより、曲げ剛性の低下を顕著に改善した樹脂製中空二重壁構造体のリブ構造を得ることができる。
【発明を実施するための最良の形態】
【００１０】
図１は本発明に係る樹脂製中空二重壁構造体のリブ構造を示す部分斜視図、図２は同上断面図、図３（ａ）、（ｂ）は本発明に係る樹脂製中空二重壁構造体のリブ構造のブロー成形態様を示す部分断面図、図４（ａ）、（ｂ）は本発明に係る樹脂製中空二重壁構造体のリブ構造を備えたパレットの全体斜視図、図５（ａ）、（ｂ）は比較例を示すリブ構造を示す部分断面図である。
【００１１】
本発明に係る樹脂製中空二重壁構造体のリブ構造は、図１に示すように、ブロー成形で一体に成形された互に対向する一方の壁１および他方の壁２を有し、中空の二重壁構造体であって、一方の壁１と他方の壁２とは、一方の壁１から他方の壁２に向けて突出させた中実板状のリブ３を、他方の壁２に形成された凹溝状のリブ４の底部に溶着して一体化したリブ構造５を備えている。前記中実板状のリブ３は、外側から見えないように形成された所謂インナーリブであり、６は溶着部である。７は中空部である。
【００１２】
前記凹溝状のリブ４は、図２に示すように、前記中実板状のリブ３を構成する壁面に対する角度θが２０〜４０°の範囲で傾斜した壁面からなり、前記一方の壁１と前記他方の壁２との距離ａが３５ｍｍ以上であるとともに、前記中実板状のリブ３の高さ（ｂ）は３０ｍｍ以下である。前記リブ構造５は複数設けられており、複数のリブ構造５は互いに略垂直となるように配置されている。このように、一方の壁１と他方の壁２との距離が３５ｍｍ以上である中空二重壁構造体において、中実板状のリブ３の高さを３０ｍｍ以下とすることで中実板状のリブ３の剛性の低下を防止することができ、曲げ剛性および面剛性の高い中空二重壁構造体を得ることができる。
【００１３】
図４には本発明に係る樹脂製中空二重壁構造体のリブ構造を備えたパレット８を例示する。パレット８は複数の凹陥部９が設けられており、１０は脚部である。図４において１は一方の壁、２は他方の壁、３は中実板状のリブ、４は凹溝状のリブを示している。パレット８には中実板状のリブ３および凹溝状のリブ４からなるリブ構造５が凹陥部９以外の中空二重壁構造体一方の壁１および他方の壁２の間に複数形成されている。複数のリブ構造５は凹陥部９以外の部位に互いに垂直となる向きに配置される。
【００１４】
図４に示すパレット８は図３に示すようにブロー成形される。使用する金型は、他方の金型１４が互に間隔をおいて設けられた凹溝状リブ形成用の断面が台形状の突出部１２を備え、一方の金型１１には各突出部１２に対応する位置にスライド自在な板状のスライド部１３がそれぞれ配設されている。１４は他方の金型、１５はそのキャビティである。
【００１５】
図３（ａ）に示すように、上述の金型を型開きし、金型１１、１４間に溶融したパリソン１６を配置して型閉じし、前記パリソン１６の一方の壁となる部分の一部をスライド部１３により他方の壁となる部分に向けて突出変形させる。
【００１６】
次いで、スライド部１３をパリソン１６の他方の壁となる部分に向けて突出させることにより前記突出変形されたパリソン１６の一方の壁となる部分の先端部を他方の壁に形成される凹溝状のリブとなる部分に当接させて溶着部６を形成する。
【００１７】
次いで、スライド部１３を後退させた後、前記パリソン１６内に加圧流体を導入して、パリソン１６を膨張させることにより金型キャビティの形状に成形すると同時に、前記他方の壁の一部が凹状に形成された凹溝状リブ４と、この凹溝状リブ４に向けて突出変形させたパリソンを中実板状となるように溶着することにより前記一方の壁が板状に形成された中実板状のリブ３を一体に形成する。
【実施例】
【００１８】
一方の壁１に形成された中実板状のリブ３と他方の壁２に形成された凹溝状のリブ４が互いに対向するように配置され、かつ互いの端部において一体に溶着されたリブ構造５を有する平均肉厚が２．０ｍｍの中空二重壁構造体を成形して評価を行なった。一方の壁１と他方の壁２との距離を３８ｍｍ、中実板状のリブ３の高さを３０ｍｍとし、凹溝状のリブ４を構成する壁面の傾斜角θを中実板状のリブ３を構成する壁面に対して以下の値となるように設定して評価を行った。
実施例１：傾斜角（θ）を３０°に設定：図２参照
比較例１：傾斜角（θ）を１５°に設定：図５（ａ）参照
比較例２：傾斜角（θ）を４５°に設定：図５（ｂ）参照
【００１９】
中空二重壁構造体の曲げ剛性は中実板状のリブ３の高さに比例して増加し、中実板状のリブ３の高さが３０ｍｍより大きくなると部分的な薄肉部が発生し強度が著しく低下した。
【００２０】
中実板状のリブ３の高さを３０ｍｍとして傾斜角（θ）を１５°に設定した凹溝状のリブを設けた場合（比較例１）には、部分的な薄肉部による著しい強度の低下はないものの、中実板状のリブの強度に対して５％以上の強度低下が生じた。
【００２１】
中実板状のリブ３の高さを３０ｍｍとして傾斜角（θ）を４５°に設定した凹溝状のリブを設けた場合（比較例２）には、部分的な薄肉部による著しい強度の低下はないものの、中実板状のリブの強度に対して１０％以上の強度低下が生じた。
【００２２】
一方、中実板状のリブ３の高さを３０ｍｍとして傾斜角（θ）を３０°に設定した凹溝状のリブを設けた場合（実施例１）には中実板状のリブの強度に対しての強度低下は１％未満であり、実質的な強度の低下は見られなかった。
【００２３】
これら実施例および比較例から、凹溝状のリブ４を構成する壁面の傾斜角θを３０°および±１０°の一定の範囲とすることにより中空二重壁構造体の曲げ剛性の低下が顕著に改善されることが判明した。
【図面の簡単な説明】
【００２４】
【図１】本発明に係る樹脂製中空二重壁構造体のリブ構造を示す部分斜視図である。
【図２】同上断面図である。
【図３】本発明に係る樹脂製中空二重壁構造体のリブ構造のブロー成形態様を示す部分断面図である。
【図４】本発明に係る樹脂製中空二重壁構造体のリブ構造を備えたパレットの全体斜視図である。
【図５】比較例を示すリブ構造を示す部分断面図である。
【符号の説明】
【００２５】
１  一方の壁
２  他方の壁
３  中実板状のリブ
４  凹溝状のリブ
５  リブ構造
６  溶着部
７  中空部
８  パレット
９  凹陥部
１０  脚部
１１  一方の金型
１２  突出部
１３  スライド部
１４  他方の金型
１５  キャビティ
１６  パリソン
【図１】
2008137247.tif 000003
【図２】
2008137247.tif 000004
【図３】
2008137247.tif 000005
【図４】
2008137247.tif 000006
【図５】
2008137247.tif 000007